(57)【要約】【課題】椅子や車椅子に座った状態でも、またはベッドに座ったり腰を掛けた状態でも、テーブル板を所望高さに調整して使用することができ、またテーブル板を上から強く押えてもテーブル板が降下してしまうといったこともなく、さらに簡単に移動させることができ、かつ使用時にテーブル板で腹部等を圧迫されることもないテーブルを提供することにある。【解決手段】テーブル板２と、このテーブル板２の両側に設けてテーブル板２とともに上下動させ所定間隔毎に位置決めできる孔１１を備えた一対の伸縮用部材３と、この各伸縮用部材３の前記した孔１１に対応する孔１３を備え且つ各伸縮用部材３をそれぞれ上下動可能に支持して両伸縮用部材３を所望の高さ位置で、前記孔１３，１１に挿入する固定具４を介して固定する一対の側部支持部材５と、各側部支持部材５の下部に固定して両側部支持部材５を繋ぐ下部支持部材６と、この下部支持部材６の適宜箇所に複数設けたキャスター７とからなる構成にしてある。【選択図】  図１
2005237529.tif 000002
【特許請求の範囲】
【請求項１】
テーブル板と、このテーブル板の両側に設けてテーブル板とともに上下動させ所定間隔毎に位置決めできる孔を備えた一対の伸縮用部材と、この各伸縮用部材の前記した孔に対応する孔を備え且つ各伸縮用部材をそれぞれ上下動可能に支持して両伸縮用部材を所望の高さ位置で、前記孔に挿入する固定具を介して固定する一対の側部支持部材と、各側部支持部材の下部に固定して両側部支持部材を繋ぐ下部支持部材と、この下部支持部材の適宜箇所に複数設けたキャスターとからなる構成を特徴とするテーブル。
【請求項２】
テーブル板と、このテーブル板の両側に設けてテーブル板とともに上下動させ所定間隔毎に位置決めできる孔を備えた一対の伸縮用部材と、この各伸縮用部材の前記した孔に対応する孔を備え且つ各伸縮用部材をそれぞれ上下動可能に支持して両伸縮用部材を所望の高さ位置で、前記孔に挿入する固定具を介して固定する一対の側部支持部材と、各側部支持部材の下部にそれぞれ固定して設けた直線状の下部支持部材と、各下部支持部材の前後にそれぞれ設けたキャスターとからなる構成を特徴とするテーブル。
【請求項３】
使用者と対峙するテーブル板の片側縁を、内側に湾曲形成して凹部を設けたことを特徴とする請求項１または２記載のテーブル。
【発明の詳細な説明】
【技術分野】
【０００１】
本発明はテーブルに関し、特に老人や身障者や病人等が使用すると便利なテーブルに関するものである。
【背景技術】
【０００２】
従来からテーブルについては用途に応じて種々のものが開発され使用されている。そして所望の高さに調整して使用できるようにした高さ調整式のテーブルも数多く開発され使用されている。
【０００３】
また、テーブルに関する参考文献として次のような公報がある。
【特許文献１】特開２００３−１１６６４０号公報
【発明の開示】
【発明が解決しようとする課題】
【０００４】
しかしながら、前記公報に開示のようなテーブルでは、上下方向に長溝を形成してテーブル板の高さを無段階に調整し、所望高さ位置でボルトによって固定するようにした構成のものであるので、ボルトの止めが緩かったり使用中に緩んだりした場合、立ち上がる時にテーブル板を強く押えた場合、テーブル板が降下して再度高さ調整しなければならないといった問題点があった。また、テーブル板を立ち上がるときの補助台として使用する場合も同様であり、身障者や老人が補助台として前記のようにテーブル板を上から押えた場合、急にテーブル板が降下して身体のバランスを崩し転倒してしまうといった懸念があった。また、従来のテーブルでは、使用時に腹部がテーブル板の縁に当たって圧迫されるため、長い時間テーブル板に接していると腹部が痛くなったり苦しくなったりする。
【０００５】
本発明は前記のような点に鑑みて開発されたものであり、その目的とするところは、椅子や車椅子に座った状態でも、またはベッドに座ったり腰を掛けた状態でも、テーブル板を所望高さに調整して使用することができ、またテーブル板を上から強く押えてもテーブル板が降下してしまうといったこともなく、さらに簡単に移動させることができ、かつ使用時にテーブル板で腹部等を圧迫されることもないテーブルを提供することにある。
【課題を解決するための手段】
【０００６】
前記の目的を達成するために請求項１に記載の本発明は、テーブル板と、このテーブル板の両側に設けてテーブル板とともに上下動させ所定間隔毎に位置決めできる孔を備えた一対の伸縮用部材と、この各伸縮用部材の前記した孔に対応する孔を備え且つ各伸縮用部材をそれぞれ上下動可能に支持して両伸縮用部材を所望の高さ位置で、前記孔に挿入する固定具を介して固定する一対の側部支持部材と、各側部支持部材の下部に固定して両側部支持部材を繋ぐ下部支持部材と、この下部支持部材の適宜箇所に複数設けたキャスターとからなる構成にしてある。
【０００７】
また、請求項２に記載の本発明は、テーブル板と、このテーブル板の両側に設けてテーブル板とともに上下動させ所定間隔毎に位置決めできる孔を備えた一対の伸縮用部材と、この各伸縮用部材の前記した孔に対応する孔を備え且つ各伸縮用部材をそれぞれ上下動可能に支持して両伸縮用部材を所望の高さ位置で、前記孔に挿入する固定具を介して固定する一対の側部支持部材と、各側部支持部材の下部にそれぞれ固定して設けた直線状の下部支持部材と、各下部支持部材の前後にそれぞれ設けたキャスターとからなる構成にしてある。
【０００８】
また、請求項３に記載の本発明は、請求項１または２に記載の発明のテーブルの構成において、使用者と対峙するテーブル板の片側縁を、内側に湾曲形成して凹部を設けた構成にしてある。
【発明の効果】
【０００９】
本発明のテーブルでは、使用者の使い易いようにして伸縮用部材を上下動し高さ調整して使用することができるので、姿勢を悪くしたり使い辛いといったこともなく快適に使用することができる。また、キャスターを設けてあるので、楽に移動させたり、使用時の椅子に対するテーブルの位置調整も椅子に座った状態でテーブルを動かすことによって簡単にでき、健常者はもとより身障者や老人にとっても非常に便利である。また、テーブル板を上から強く押えても降下してテーブル高さが低くなり再度高さ調整しなければならないといったこともない。
【００１０】
また、直線状の下部支持部材を各側部支持部材の下部に設けたテーブルでは、ベッドを跨ぐようにしてベッド上にテーブル板を位置させて使用することができ、病人や身障者でもベッドに座ってテーブルを使用した作業を行うことができる。
【００１１】
また、テーブル板の片側に凹部を備えたことにより、使用時に腹部がテーブル板の対峙する箇所によって圧迫されることもなく、楽な姿勢でテーブルを使用した作業を行うことができる。
【発明を実施するための最良の形態】
【００１２】
以下、本発明を実施するための最良の形態を図に基づいて説明する。
図１〜図３は本発明にかかる第一例のテーブル１であって、このテーブル１は、テーブル板２、一対の伸縮用部材３、高さ調整箇所の固定具４、一対の側部支持部材５、下部支持部材６、キャスター７、横杆１６、およびテーブル板２や前記各部材を連結する多数のボルト・ナットからなる固定具（一部の図中符合を省略する。）によって構成されている。図示の各固定具を除く他の部材は木製である。
【００１３】
より具体的に説明すると、前記テーブル板２は、外周縁に丸みをつけた全体が少し長方形状の木製板であり、一長辺側の外周縁を円弧状に形成して内側に湾曲した半楕円状の凹部８を形成してある。またテーブル板２の四隅には固定具であるボルト９を通す貫通穴１０が形成してある。凹部８はテーブル１を組み立てる際に手前側(使用者と対峙する側)にして組み立てる。
【００１４】
一対の伸縮用部材３は、縦材３ａと横材３ｂ長方形枠状に組んで形成したものであり、各縦材３ａの所定箇所に固定具４のボルト４ａ、ナット４ｂを取り付けるための孔１１を所定間隔を以って縦列に複数形成してある。さらに各縦材３ａの上部側にも他の固定具（図中符合を省略する。）を取り付ける孔１２が形成してある。
【００１５】
一対の側部支持部材５は、前記した伸縮用部材３と略同形のものであり、縦材５ａの上部と下部にそれぞれ孔１３，１４が形成されている。上部側の孔１３は、上下に所定間隔、すなわち前記した伸縮用部材３の各孔１１間と同じ間隔をもって形成してある。孔１３は貫通孔である。
【００１６】
下部支持部材６は、一対の側部下部杆６ａと、この両側部下部杆６ａの一端寄りに掛け渡して設けた掛渡し杆６ｂとからなる平面視コ状（或いは平面視Ｈ状）である。掛渡し杆６ｂはテーブル１の奥側の下部に位置する。
【００１７】
このテーブル１は、前記したテーブル板２および各部材を各固定具によって所定箇所で連結して組み立てる。そして、一対の伸縮用部材３と一対の側部支持部材５とを固定具４で連結する際には、テーブル板２の上面２ａの高さをテーブル１の使用者の望む高さに調整して固定具４で両部材３，５を連結する。
【００１８】
なお、図示の例では6段階に高さ調整できるように各伸縮用部材３に孔１１を縦列に７個設けてあるが、７段階以上に高さ調整できるようにさらに多くの孔を設けてもよい。勿論、５段階以下に高さ調整できるように孔を少なく設けてもよい。また縦列の孔11間の間隔は、大きくして孔１１を形成したり、または小さくして孔１１を形成するも自由である。勿論、孔11間の間隔を一定にしなくともよい。この場合でも対峙する両伸縮用部材３の各孔１１の位置はそれぞれ同じ位置にするのは勿論のことである。
【００１９】
このようにして高さを調整して組み立てたテーブル１では、図３に示すように椅子１５に掛けて腹部をテーブル板２の凹部８に対峙させるように使用することにより、使用者の高さにあったテーブル１として、使用中にテーブル板２の縁で腹部を圧迫されることもなく、また姿勢を悪くしたり使い辛いといったこともなく快適に使用することができる。また、このテーブル１はキャスター７を設けてあるので、楽に移動させることができ、使用時にテーブル１に対する椅子の位置をテーブル１側を動かして調整することができるので、その都度立ち上がって椅子を動かして調整する必要もなく、身障者や老人にとっては非常に便利である。
【００２０】
さらに、このテーブル１においては、一対の伸縮用部材３と一対の側部支持部材５とを所望の高さとなるようにして、ボルト４ａを側部支持部材５の孔１３に対応した伸縮用部材３の孔１１に挿入し、伸縮用部材３の孔１１に挿着したナット４ｂにねじつけて連結するので、テーブル１の使用中に強くテーブル板２を上から押さえつけても伸縮用部材３が下方にずれてテーブル板２の高さが低くなってしまうといったことも全くない。
【００２１】
図４〜図６は第２例の本発明にかかるテーブル１に関する図である。図中符合は便宜上、前記の第１例と同一符合を使用し、かつ第１例と相違する構成箇所について説明し、他の箇所については第１例と同一符合を付して説明を省略する。
【００２２】
この例のテーブル１において、テーブル板２は正方形状に近い長方形状であって、伸縮用部材３に取り付けた場合、テーブル板２の半分は伸縮用部材３の短辺の端から外に突出する大きさである。また、テーブル板２の一長辺部の凹部８は、略半円状でありテーブル１の使用時に使用する人の腹部の辺りがこの凹部８内に入るくらいの大きさである。また、ボルト９を取り付ける貫通孔１０は、凹部８と反対側のテーブル板２の両隅と、テーブル板２の中間の両側にそれぞれ設けてある。勿論、このテーブル１も両側部支持部材５に対して両伸縮用部材３を伸ばしたり収縮させたりしてテーブル板２を所望の高さに調整し、固定具４で両部材３，４を連結固定することができる。他の構成は前記した第１例のテーブルと同じである。
【００２３】
この例のテーブル１も、前記したようにテーブル板２の高さを調整することによって、図６に示すように車椅子に乗った人でもそのままテーブル板２の凹部８の中に腹部の辺りが入るようにしてテーブル１と対峙することにより、使用者の高さにあったテーブル１として、姿勢を悪くしたり使い辛いといったこともなく快適に使用することができる。また、このテーブル１では凹部８の中に身体（腹部の辺り）を入れることができるので、休息時などにテーブル板２に肘をついて休むこともできる。また、第１例と同様にキャスター７を設けてあるので、テーブル１側を動かして車椅子に対する位置を調整することができる。
【００２４】
図７〜図９は第３例の本発明にかかるテーブル１に関する図である。図中符合は便宜上、前記の第１例と同一符合を使用し、かつ第１例と相違する構成箇所について説明し、他の箇所については第１例と同一符合を付して説明を省略する。
【００２５】
この例のテーブル１において、テーブル板２は第１例のテーブル板より長い長方形状で、長さはベッドの幅より少し長いくらいの長さである。また横杆１６もテーブル板２とほぼ同じ位の長さである。また、各側部支持部材５の下部には、それぞれ直線状の下部支持部材１７が固定具で固着してある。そして各下部支持部材１７の前後にはそれぞれキャスター７が設けてある。また、テーブル板２の一長辺部の凹部８は、略半楕円状でありテーブル１の使用時に使用する人の腹部の辺りがこの凹部８内に少し入るくらいの大きさである。勿論、このテーブル１も両側部支持部材５に対して両伸縮用部材３を伸ばしたり収縮させたりしてテーブル板２を所望の高さに調整することができる。他の構成は前記した第１例のテーブルと同じである。
【００２６】
この例のテーブル１もテーブル板２の高さを調整し、図９に示すようにベッドを跨ぐようにしてベッドの上に設置することにより、ベッドに座った状態で手紙を書いたり書物を読んだり、といったようにベッド上でテーブル１を使用する作業を行うことができる。したがって、病弱な人などもベッドから離れることなくテーブル１を使用した作業ができる。
また、このテーブル１もキャスター７を設けてあるので、楽に移動させることができ、使用時にベッド上で身体を前後に動かすことなく、テーブル板２を身体の最適位置に位置させることができる。勿論、使用後もテーブル１を押すだけてテーブル板２を身体から離すことができる。また、ベッドから立ち上がる時もテーブル板２に手をついて立ち上がることができ、立ち上がるときの補助具としてテーブル板が降下することなく安心してこのテーブル１を利用することができる。さらに、このテーブル１をベッドの横に沿って設置することにより、べッドを椅子にして手を使用することができ、従来のようにベッドから立ち上がってテーブルのある所まで行くこともない。
【図面の簡単な説明】
【００２７】
【図１】本発明の第1例のテーブルの斜視図である。
【図２】本発明の第1例のテーブルの分解斜視図である。
【図３】本発明の第1例のテーブルの使用状態を示す説明図である。
【図４】本発明の第２例のテーブルの斜視図である。
【図５】本発明の第２例のテーブルの分解斜視図である。
【図６】本発明の第２例のテーブルの使用状態を示す説明図である。
【図７】本発明の第３例のテーブルの斜視図である。
【図８】本発明の第３例のテーブルの分解斜視図である。
【図９】本発明の第３例のテーブルの使用状態を示す説明図である。
【符号の説明】
【００２８】
１      テーブル
２      テーブル板
３      伸縮用部材
４      固定具
５      側部支持部材
６      下部支持部材
７      キャスター
８      凹部
１１    孔
１３    孔
１７    下部支持部材
【図１】
2005237529.tif 000003
【図２】
2005237529.tif 000004
【図３】
2005237529.tif 000005
【図４】
2005237529.tif 000006
【図５】
2005237529.tif 000007
【図６】
2005237529.tif 000008
【図７】
2005237529.tif 000009
【図８】
2005237529.tif 000010
【図９】
2005237529.tif 000011